(57)【要約】本発明は、安全シールドを定位置にロックする成形トロカールラッチである。成形トロカールラッチは、トロカールハウジング（１４０）とシールド（１０）とを有する。ハウジング（１４０）は、第１の一体成形キャップと、一体成形ベース（１６０）とを有する。スライダ（３０）及びラッチを含むラッチ機構を、ハウジング（１４０）のベース（１６０）又はキャップと一体に形成する。スライダ（３０）とラッチは、ラッチをロック位置とロック解除位置との間で動かすよう互いに作動的に連結されている。ラッチは、ロック位置において、シールド（１０）に設けられた棚部（１４）に係合し、少なくとも、トロカールのブレードをうっかりと露出させる場合のあるシールド（１０）のそれ以上の近位側への移動を阻止するよう構成されている。
2004504918.tif 000002
【特許請求の範囲】
【請求項１】
シールド付き成形トロカールラッチ装置であって、
トロカールハウジングと、シールドと、を有し、前記トロカールハウジング及び前記シールドは、１つの中央長手方向軸線を有し、前記トロカールハウジングは、ベース及びキャップを有し、
更に、シールドをロック位置に固定するよう構成されたラッチ機構を有し、前記ラッチ機構は、オペレータによって作動され、前記シールドに直接作動するように連結され、前記トロカールハウジングのベース及びキャップのうちの一方と一体に形成され、前記シールドをロックしたりロック解除したりするように構成されていることを特徴とする成形トロカールラッチ装置。
【請求項２】
前記シールドは、固定的に位置決めされた棚部を有し、前記ラッチ機構は、前記棚部をロックしたりロック解除したりするように構成されている、請求項１記載の成形トロカールラッチ装置。
【請求項３】
前記シールドは、それに固定的に取り付けられたシールドカムを有し、前記中央長手方向軸線に沿って動くことができ、前記シールドカムは、前記ラッチ機構に作動的に連結されており、前記ラッチ機構は、オペレータによって、ロック位置とロック解除位置との間で位置決め可能であり、前記シールドカムは、前記ラッチ機構をロック解除位置からロック位置に再位置決めするように構成されている、請求項１記載の成形トロカールラッチ装置。
【請求項４】
前記ラッチ機構は、ラッチ及びスライダを有し、前記ラッチ及び前記スライダは、前記シールドと作動的に連結されている、請求項１記載の成形トロカールラッチ。
【請求項５】
前記スライダは、第１の位置と第２の位置との間を動くよう構成され、前記ラッチは、ロック位置とロック解除位置との間を動くよう構成され、前記スライダは、オペレータによって動かされるよう構成され、前記ラッチをロック位置とロック解除位置との間で動かすように前記ラッチに作動的に連結されている、請求項４記載の成形トロカールラッチ装置。
【請求項６】
前記ラッチは、ロック位置に付勢され、前記スライダは、第１の位置に付勢される、請求項５記載の成形トロカールラッチ装置。
【請求項７】
前記ラッチ機構は、前記ベースと一体に形成されたスライダ及びラッチを有している、請求項１記載の成形トロカールラッチ装置。
【請求項８】
前記スライダは、第１の位置と第２の位置との間を動くよう構成され、前記ラッチは、ロック位置とロック解除位置との間を動くよう構成され、前記スライダは、オペレータによって動かされるように構成され、前記ラッチをロック位置とロック解除位置との間で動かすように前記ラッチに作動的に連結されている、請求項６記載の成形トロカールラッチ装置。
【請求項９】
前記ラッチは、孔を備えた片持ちビームの形態をしている、請求項８記載の成形トロカールラッチ装置。
【請求項１０】
前記シールドは、棚部を有し、前記シールドがロックされる位置は、前記棚部を前記片持ちビームの孔の中に位置決めすることによって定められる、請求項９記載の成形トロカールラッチ装置。
【請求項１１】
前記スライダは、直角の形状を有する可撓性片持ちビームである、請求項８記載の成形トロカールラッチ。
【請求項１２】
前記スライダは、前記ラッチの回転軸線及び前記中央長手方向軸線と垂直な線から約７５゜の範囲内の角度で前記ラッチに係合するよう構成される、請求項８記載の成形トロカールラッチ装置。
【請求項１３】
前記ラッチは、前記キャップと一体に形成され、前記スライダは、前記ベースと一体に形成されている、請求項４記載の成形トロカールラッチ装置。
【請求項１４】
前記スライダは、第１の位置と第２の位置との間を動くよう構成され、前記ラッチは、ロック位置とロック解除位置との間を動くよう構成され、前記スライダは、オペレータによって動かされるように構成され、前記ラッチをロック位置とロック解除位置との間で動かすように前記ラッチに作動的に連結されている、請求項１３記載の成形トロカールラッチ装置。
【請求項１５】
前記ラッチは、前記中央長手方向軸線に対して横方向の長手方向軸線を定める細長い片持ちビームであり、この片持ちビームは、その少なくとも一部分が前記キャップから遠位側に延びる、請求項１３記載の成形トロカールラッチ装置。
【請求項１６】
前記トロカールハウジングは、前記シールドを後退させるように構成された付勢手段を有している、請求項１記載の成形トロカールラッチ装置。
【請求項１７】
前記ラッチは、先端部を有し、前記シールドは棚部を有し、前記先端部は、前記シールドの棚部に当接して前記シールドの近位側への移動を阻止するよう構成されている、請求項１５記載の成形トロカールラッチ装置。
【請求項１８】
前記スライダは、逆“Ｕ”字形の片持ちビームの形態をしている、請求項１３記載の成形トロカールラッチ装置。
【請求項１９】
前記ラッチは、長手方向軸線を定める近位端部及び遠位端部を有し、近位端部回りに且つ前記長手方向軸線と垂直な方向に可撓的に動くことができ、全体として前記長手方向軸線と整列した方向に剛性であり、ロック位置とロック解除位置との間で動くことができる、請求項１３記載の成形トロカールラッチ装置。
【請求項２０】
前記ラッチ及び前記スライダは、可撓的に動くことができる片持ちビームとして構成されている、請求項４記載の成形トロカールラッチ装置。
【発明の詳細な説明】
【０００１】
〔関連出願の引照〕
本願は、２０００年８月８日に出願された本出願人の米国仮特許出願第６０／２２３，８１１号の優先権主張出願であり、かかる米国仮特許出願の開示内容全体を本明細書の一部を形成するものとしてここに引用する。
【０００２】
〔背景〕
〔１．技術分野〕
本発明は、外科用トロカール組立体に関し、特に、トロカール組立体の保護シールドを固定位置にロックし、トロカール組立体に向かうハウジング内での引っ込みを防止する一体形ラッチ機構を有するトロカール組立体に関する。本願と関連した発明内容は、２０００年３月１６日に出願された共通譲受人の米国特許出願第０９／５２６，８３７号明細書（発明の名称：Ｍｏｄｕｌａｒ Ｔｒｏｃａｒ Ｓｙｓｔｅｍ ａｎｄＭｅｔｈｏｄ ｏｆ Ａｓｓｅｍｂｌｙ）及びグリーン（Ｇｒｅｅｎ ）氏によって１９９４年１２月７日に出願された米国特許出願第５，３５２，２７４号明細書（発明の名称：ＳＡＦＥＴＹ ＴＲＯＣＡＲ ）（現在、米国特許第５，４８６，１９０号）に開示されており、これら特許文献の開示内容を本明細書の一部を形成するものとしてここに引用する。
【０００３】
〔２．関連技術の背景〕
トロカールは、体腔を穿刺するために用いられる先の鋭く尖った器具である。一般に、トロカールは、体腔壁を穿通する尖鋭な栓子リップを備えた栓子と、この栓子が同軸状に収納される保護スリーブとを有している。トロカールは、更に、トロカールスリーブ又はカニューレを有している。トロカールで体腔をいったん穿刺すると、典型的には栓子をカニューレから抜去し、それによりカニューレを体腔内へ延びた状態で適所に残す。次に、カニューレを通して導入された外科用器具、例えば腹腔鏡、切開器、把持器、ステープラを用いて内視鏡又は腹腔鏡手技を行う。
【０００４】
市販の安全トロカールは、いったん体腔に入ると栓子先端部を覆って穿刺部又は裂創からの内部構造に対する保護レベルを高めるばね押し安全シールドを有している。他の入手できる安全トロカールは、保護スリーブをロックしたりロック解除する複雑なトリガ及び連接装置を備えたラッチ機構を有している。例えば、トリガをトロカール上に都合良く配置するには、トリガとロック部材とを作動的に連結する少なくとも１つの中間連接機構が必要な場合がある。中間連接機構は、オぺレータの行うトリガの移動に応動してシールドをロックし又はロック解除するようロック部材を動かす。ラッチ機構は又一般に、例えば妨害部材及び連接機構のような部品の位置決め及び所望の相互関連付けを行う多数の付勢部材を必要とする。これら形態では、厳密に制御された公差が必要な場合が多く、組立てが複雑であり且つ時間がかかる。別の厄介な問題として、器具の所望の操作のしやすさ及び信頼性を確保するために製造後におこなわれる相互関連付け部品、例えば付勢要素の手作業による調整が挙げられる。
【０００５】
構成部品の所要数が最小に抑えられ、或いは追加の構成部品を必要としない組立体として一体成形されたトロカールラッチ機構が要望され続けている。また、ラッチ機構の手作業による製造後調整の必要性を最小に抑えることにより製造費を減少させるトロカールラッチ機構が要望され続けている。
【０００６】
〔概要〕
トロカールハウジング及びシールドを有する成形トロカールラッチ装置が提供される。ハウジングは、第１の一体成形された部分又はキャップと、第２の一体成形された部分又はベースとを有している。ラッチ機構が、ハウジングのベース及びキャップのうちの一方から一体形成されている。ラッチ機構は、スライダ及びラッチを有する。スライダは、オぺレータにより第１の位置と第２の位置との間を動くことができる。スライダとラッチとは、ラッチをロック位置とロック解除位置との間で動かすよう互いに作動的に連結されている。シールドは、スライダをラッチから外すよう位置決めされたカムを有している。ラッチの離脱の際、ラッチは、ロック位置即ち第１の位置に戻るよう構成されている。
【０００７】
本明細書において開示する成形トロカールラッチの構成は、これに伴う利点と共に、添付の図面を参照して以下の詳細な説明を読むと最もよく理解されよう。
【０００８】
本発明の好ましい実施形態について図面を参照して以下に説明する。
【０００９】
〔詳細な説明〕
最初に、図１〜図４を参照すると、トロカール成形ラッチシステム１００が、ラッチ機構１５をシールド１０とのロック位置とシールド１０とのロック解除位置との間で選択的に位置決めできるよう構成されている。ロック位置では、シールド１０は、偶発的な裂創を防止するために、例えばトロカールブレード又は尖った栓子のエッジを覆った状態で物理的に位置決めされている。ロック解除位置では、手術の際の使用中、例えば患者の経皮穿通中、シールド１０を付勢力に抗して近位側に動かして、トロカールのブレードを露出させることができる。トロカール成形ラッチシステム１００は、ハウジング１４０、ベース又は第２の部分１６０，キャップ又は第１の部分１８０、シールド１０及びラッチ機構１５を有している。ベース１６０及びキャップ１８０はそれぞれ、医用等級のプラスチックで一体組立体として成形されるのが良く、次に、トロカールラッチシステム１００のハウジング１４０に一体にされる。ベース１６０をトロカール組立体５のカニューレと一体に形成するのがよく、変形例として、成形トロカールラッチ１００を着脱自在な組立体としてトロカール５のカニューレハウジングに連結されるよう構成してもよい。ラッチ機構１５は、ラッチ２０及び作動機構３０を有している。シールド１０は、カム１２及び棚部１４を含む近位端部を有する可動組立体である。トロカール組立体５は、中央長手方向軸線Ｘを有する。付勢手段９０、例えば圧縮ばねを設けて、シールド１０がハウジング１４０内から後退し、即ち、遠位側へ動くのを助けるのがよい。付勢手段９０は、別個の組立体であってもよいし、ベース又はキャップの一部として形成されていてもよいし、これらを組み合わせたものであってもよい。
【００１０】
第１の好ましい実施形態では、ラッチ２０は、トロカールベース１６０のフロア１６２と一体に形成されると共にこれから近位側へ延びる片持ちビーム構造体２２である。片持ちビーム２２は、長手方向軸線Ｘと平行に近位側に軸方向に延びる２つの互いに平行なビーム即ち脚部２４，２６を有している。長手方向軸線とほぼ垂直な横方向部材２８が、脚部２４，２６の近位端部に設けられている。片持ちビーム２２のロック位置は、脚部２４，２６を中央長手方向軸線とほぼ整列させた位置である。
【００１１】
脚部２４の内縁部２１、脚部２６の内縁部２３、横方向部材２８の遠位縁部２７及びフロア１６２は、孔２５を構成している。孔２５は、シールド１０の棚部１４に係合してこれを受け入れ、それにより、シールド１０のそれ以上の近位側への移動を阻止するような寸法形状になっている。棚部１４は、シールド１０の表面とほぼ垂直に且つこれから半径方向に延びている。棚部１４は、ブロックの形を改造したものであり、シールド１０の管状表面から半径方向に延びる平らな近位端部１６及び遠位側にテーパした遠位端部１８を備えている。脚部２４，２６は、横方向ビーム２８と組み合わされて、中央長手方向軸線Ｘと垂直な軸線Ｙを定めている。片持ちビーム２２は、その構成材料及び構造的な形状の結果として、ロック位置即ち第１の位置に付勢される可動性構造体として構成されている。
【００１２】
また、スライダ即ち作動機構３０がベース１６０と一体に形成されており、このスライダ３０は、その少なくとも一部分が、フロア１６２によって構成されたスロット１６５内に位置している。スライダ３０は、この第１の好ましい実施形態では、ほぼ直角の片持ちビーム構造３２を有し、かの片持ちビーム構造は、長手方向軸線Ｘと整列したビーム又は脚部３４と、この脚部３４と垂直な横方向ビーム３６とを備えている。脚部３４の遠位端部は、丸みのついた先端部３１を有し、この丸みのついた先端部３１は、スロット１６５を貫通し、その少なくとも一部がベース１６０の遠位側に位置している。スライダ３０はまた、撓む又は回動する領域又は箇所として構成された部材３８によってベース１６０に連結されている。脚部３４及び横方向ビーム３６は、長手方向軸線Ｘと垂直な軸線Ｚを定めている。横方向ビーム３６は、スライダ３０が第１の位置にあるとき、片持ちビーム２２と並置関係をなす先端部３７を有している。スライダ３０は、その構成材料及び構造的形状の結果としてロック位置即ち第１の位置に付勢される可撓性構造体として構成されていて、第１の位置と第２の位置との間で動くことができ、第２の位置において、スライダ３０は、ラッチ２０に係合し、ラッチ２０をロック解除位置に再位置決めする。
【００１３】
スライダ３０は、その固有の付勢力に抗して軸線Ｚの方向に沿って回動し又は撓んで、片持ちビーム２２と交差するよう構成されている。同様に、片持ちビーム２２は、その固有の付勢力に抗して軸線Ｙの周りに撓み又は回動するよう構成されている。この好ましい実施形態では、スライダ３０は、軸線Ｚに沿って進むと、軸線Ｙに沿って位置した片持ちビーム２２に約１１５゜の相対角度で物理的に接触するよう構成されている。この実施形態では、スライダとラッチとの間の相対角度を、軸線Ｙ及び軸線Ｘと垂直な線から任意の方向に約７５゜の範囲にわたって変えることができる。
【００１４】
作用を説明すると、シールド棚部１４が孔２５内に位置し、片持ちビーム２２の遠位縁部２７がシールド棚部１４の近位側部１６に係合しているとき、成形ラッチシステム１００は、ロック位置にあり、シールド１０のそれ以上の近位側への移動を阻止する。成形ラッチシステム１００をオぺレータがロック位置からロック解除位置に動かすと、作動先端部３１がほぼ近位側の方向に変位し、それにより、スライダ３０を軸線Ｚの方向に回動させて、先端部３７と横方向ビーム２８とを直接係合させる。先端部３７を変位させることにより、横方向ビーム２８を押し、片持ちビーム２２を軸線Ｙの周りに回動させると、横方向ビーム２８がスライダ３０と交差するに十分矢印“Ａ”の方向に変位させられ、その結果、ラッチ２０が矢印“Ｂ”の方向に半径方向外方に押されて、棚部１４との接触状態から外れ、それにより、シールド１０が近位側に自由に動いて、トロカールのブレードを露出させるようにする。これは、ラッチ１００のロック解除位置である。
【００１５】
手術における使用中、例えば経皮穿通の際、シールド１０の近位側への移動により、シールドカム１２の少なくとも一部分が、スライダ３０の遠位側に位置する第１の位置からスライダ３０の近位側の第２の位置に動く。第１の位置と第２の位置との間のシールドカム１２の並進により、シールドカム１２がスライダ３０の横方向ビーム３６に接触し、横方向ビーム３６をシールド１０から遠ざかる半径方向に再位置決めして、スライダ３０を片持ちビーム２２との並列状態から変位させる。オぺレータがスライダ３０を第２の位置に配置して、片持ちビーム２２をロック解除位置に再位置決めするとき、シールドカム１２と横方向ビーム３６の接触により、スライダ３０は、片持ちビーム２２から離脱する。片持ちビーム２２は、その付勢力の結果として、ロック位置に戻り、棚部１４に係合し、シールド１０のそれ以上の近位側への移動を阻止する準備ができる。
【００１６】
変形例として、オぺレータがスライダ３０を解除すると、スライダ３０に働いている固有の付勢力がスライダ３０を第１の位置に戻し、片持ちビーム２２に加わる変位力を除くようにしても良い。この場合、同様に、付勢されている片持ちビーム２２は、ロック位置に戻る。かくして、先端部３１をいったん解除すると、成形トロカールラッチ１００は、その付勢力の結果としてロック位置に自動的に戻され、シールド１０に係合し、栓子ブレードを露出させるシールド１０の近位側への移動を阻止する準備ができる。
【００１７】
図５〜図９では、トロカール成形ラッチシステム２００の第２の実施形態が、ハウジング２４０、ベース又は第２の部分２６０、キャップ又は第１の部分２８０、シールド１１０及びラッチ機構１１５を有している。ベース２６０及びキャップ２８０はそれぞれ、一体組立体として医用等級のプラスチックで成形され、次いで、トロカールラッチシステム２００のハウジング２４０に一体にされる。ラッチ機構１１５は、ラッチ１２０及び作動機構１３０を有している。シールド１１０は、可動組立体であり、カム１１２及び棚部１１４を含む近位端部を有する。トロカール組立体５０は、中央長手方向軸線Ｘを有している。付勢手段１９０、例えば、圧縮ばねを設けて、シールド１１０がハウジング２４０内から後退する、即ち、遠位側に動くことを付勢手段１９０が助けるのがよい。
【００１８】
第２の好ましい実施形態では、ラッチ１２０は、長手方向軸線に対し横方向の軸線を定めていて、キャップ２８０と一体に形成された細長い片持ちビーム１２２である。ラッチ１２０は、キャップ２８０の内壁１８２に連結されていて、遠位端部即ち先端部１２１まで遠位側の方向へ延びる近位端部１２３を有している。先端部１２１は、シールド棚部１１４が先端部１２１を越えてそれ以上近位側に移動するのを阻止するように、シールド１０と並置関係をなして位置決めされている。先端部１２１は、これが棚部１１４と直接接触しているとき、ロック位置にあり、シールド１１０は、ハウジング２４０内に引っ込むのが阻止される。片持ちビーム１２２は、全体として、ビーム１２２の長手方向軸線の方向の軸方向剛性構造体として構成されているが、スライダ３０からの変位に対応するようビーム１２２の長手方向軸線と垂直な方向に制御された度合いの可撓性を有している。片持ちビーム１２２は、その構成材料及び構造的形状の結果としてロック位置に付勢される。
【００１９】
スライダ即ち作動機構１３０が、ベース２１０と一体に形成されていて、このスライダは、その少なくとも一部が、フロア２６２によって構成されたスロット２６５内に位置し、オぺレータによって第１の位置と第２の位置との間を動くことができる。この第２の好ましい実施形態では、スライダ１３０は、ほぼ逆“Ｕ”形の片持ちビーム構造１３２を有し、この片持ちビーム構造１３２は、長手方向軸線Ｘと整列した第１のビーム１３４と、少なくとも一部が長手方向軸線Ｘと整列した第２のビーム１３５とを備えている。ビーム１３４，１３５は、横方向ビーム１３６によって互いに連結されている。第１のビーム即ち脚部１３４の遠位端部は、丸みのついた先端部１３１を有し、この丸みのついた先端部１３１は、ベース２６０に設けられたスロット２６５を貫通し、少なくとも一部がベース２６０の遠位側に位置している。第２のビーム即ち脚部１３５は、ほぼ長手方向軸線と整列した第１の部分１３８と、長手方向軸線に対して横方向に延びる第２の部分１３９とを有している。スライダ１３０は、第２のビーム１３５を介してベース２６０に連結され、この第２のビーム１３５は、その少なくとも一部が、スライダ１３０が撓み又は回動する領域又は箇所として構成されている。脚部１３４、１３５及び横方向ビーム１３６は、長手方向軸線Ｘと垂直な軸線Ｚを定めている。横方向ビーム１３６及び第１の部分１３８は、それと第２の部分１３９との間に縁部又は内側コーナ部１３７を有し、この縁部又は内側コーナ部は、スライダ１３０が第１の位置にあるとき、少なくとも部分的に片持ちビーム１２２と並置関係をなして位置決めされている。スライダ１３０は、その構成材料及び構造的な形状の結果としてロック位置に付勢される可撓性構造体として構成されている。
【００２０】
スライダ１３０は、その固有の付勢力に抗して、第１の位置から軸線Ｚに沿って矢印“Ｃ”の方向に回動し又は撓み、片持ちビーム１２２と交差して、片持ちビーム１２２を変位させるよう構成されている。同様に、片持ちビーム１２２は、スライダ１３０が第２の位置にあるとき、その固有の付勢力に抗して棚部１１４をから自由になり、ロック解除位置まで矢印“Ｃ”の方向に撓み又は回動するよう構成されている。
【００２１】
作用を説明すると、シールド棚部１１４の近位側部１６が片持ちビーム１２２の先端部１２１に当接して位置しているとき、成形ラッチシステム２００は、ロック位置にあり、シールド１０のそれ以上の近位側への移動を阻止する。成形ラッチシステム２００をオぺレータがロック位置からロック解除位置に動かすと、作動先端部１３１がほぼ近位側の方向に変位し、それにより、スライダ１３０を軸線Ｚの方向に回動させて、縁部１３７とビーム１２２とを先端部１２１の付近で直接係合させる。縁部１３７により先端部１２１を変位させることにより、片持ちビーム１２２は、先端部１２１がほぼ軸線Ｚと整列した矢印“Ｃ”の方向に変位するのに十分、近位端部１２３の回りに回動するように回転し又は撓み、それにより、シールド１１０が近位側に自由に動いて、トロカールブレードを露出させるようにする。これは、ラッチ２００のロック解除位置である。
【００２２】
手術における使用中、例えば経皮穿通の際、シールド１１０を近位側へ引き続き動かすことにより、シールドカム１１２がスライダ１３０の近位側に位置決めされる。シールドカム１１２を遠位側へ動かすと、シールドカム１１２は、スライダ１３０の横方向ビーム１３６と交差して、横方向ビーム１３６が矢印“Ｄ”の方向に且つ半径方向外方に押されて、片持ちビーム１２２との接触状態から離脱するようにする。片持ちビーム１２２は、その付勢力の結果として、ロック位置に戻り、棚部１４に係合し、シールド１１０のそれ以上の近位側への移動を阻止する準備ができる。
【００２３】
変形例として、オぺレータがスライダ１３０を解除すると、スライダ１３０に働いている固有の付勢力がスライダ１３０を第１の位置に戻し、片持ちビーム１２２に加わる変位力を除く。すると、同様に付勢されている片持ちビーム１２２は、シールド１１０に当接するロック位置に戻る。かくして、先端部１３１をいったん解除すると、成形トロカールラッチ２００は、その付勢力の結果として、ラッチ止め位置に自動的に戻され、シールド１１０に係合し、栓子ブレードを露出させるシールド１１０の近位側への移動を阻止する準備ができる。
【００２４】
本発明の例示の実施形態を添付の図面を参照して説明したが、本発明は、これら実施形態そのものには限定されず、当業者であれば、本発明の範囲又は精神から逸脱することなく、種々の他の変更例及び改造例を想到できることを理解すべきである。例えば、本発明の実施形態における個々の構成要素、例えば、スライダ及びラッチの成形された幾何学的形状は、ベース又はキャップから見て本来的に様々であってよい。同様に、シールドの棚部及びカムの構造の幾何学的形状は、成形トロカールラッチシステムの所与の用途の特定の設計上の要件で決まる。さらに、トロカールハウジング又はその部分を、トロカールカニューレと結合するのに適した連結部を備える着脱自在且つ交換可能な組立体として構成してもよい。
【００２５】
かくして、本発明の精神及び範囲から逸脱することなく、本発明の種々の実施形態の種々の改造例を想到できることは理解されよう。したがって、上記説明は本発明を限定するものと解釈されてはならず、本発明の好ましい実施形態を提示するものに過ぎない。かかる全ての変形例及び改造例は、特許請求の範囲に記載された本発明の範囲に含まれるものである。
【図面の簡単な説明】
【図１】
本発明のラッチ機構を組み込んだトロカール組立体の断面側面図であり、横方向ビームラッチを利用した成形ラッチ機構を示す図である。
【図２】
図１のラッチ機構のＢ−Ｂ線矢視断面平面図である。
【図３】
図２のＣ−Ｃ線矢視断面側面図であり、スライダを示す図である。
【図４】
図２のＤ−Ｄ線矢視断面側面図である。
【図５】
本発明に従って構成された細長い片持ちビーム成形トロカールラッチを利用した成形トロカールラッチ機構の第２の実施形態の横から見た断面斜視図である。
【図６】
図５の細長い片持ちビーム成形トロカールラッチの別の断面側面図である。
【図７】
図６のＣ−Ｃ線矢視断面側面図である。
【図８】
図７のＢ−Ｂ線矢視断面側面図である。
【図９】
細長い片持ちビーム成形トロカールラッチ機構の概略平面図であり、スライダ及びスライダ周りの切れ目としての隙間を示す図である。
【国際公開パンフレット】
2004504918.tif 000003
2004504918.tif 000004
2004504918.tif 000005
2004504918.tif 000006
2004504918.tif 000007
2004504918.tif 000008
2004504918.tif 000009
2004504918.tif 000010
2004504918.tif 000011
2004504918.tif 000012
2004504918.tif 000013
2004504918.tif 000014
2004504918.tif 000015
2004504918.tif 000016
2004504918.tif 000017
2004504918.tif 000018
2004504918.tif 000019
2004504918.tif 000020
2004504918.tif 000021
【国際公開パンフレット（コレクトバージョン）】
2004504918.tif 000022
【国際調査報告】
2004504918.tif 000023